【事件の表示】
　特願２０１２−　６９６８８「媒体収納繰出装置及び媒体処理装置」拒絶査定不服審判事件〔平成２５年１０月　３日出願公開、特開２０１３−１９９３６５、請求項の数（３）〕について、次のとおり審決する。
【結　論】
　原査定を取り消す。
　本願の発明は、特許すべきものとする。
【理　由】
第１　手続の経緯
　本件出願は、平成２４年３月２６日の出願であって、平成２７年５月２８日付けで拒絶理由が通知され、同年７月３１日付けで意見書及び手続補正書が提出され、同年１２月１５日付けで拒絶の査定がなされた。これに対し、平成２８年３月１８日付けで拒絶査定不服審判の請求がなされると同時に同日付で手続補正書が提出されたものである。
第２　平成２８年３月１８日付けの手続補正（以下「本件補正」という。）の適否
１　補正の内容
　本件補正の内容は、以下のとおりである（下線は、補正箇所を明らかにするために、当審にて付した。）。
（１）補正事項１
　本件補正は、請求項１および３に
　「上記巻き取り時用の複数のギアは、上記ドラムが上記テープを巻き取る速度より、上記テープリールから上記テープが巻き戻される速度の方が遅くなるようにギア比が設定され、
　上記巻き戻し時用の複数のギアは、上記ドラムから上記テープが巻き戻される速度より、上記テープリールに上記テープが巻き取られる速度の方が速くなるようにギア比が設定され、」
とあるのを、
　「上記巻き取り時用の複数のギアは、上記ドラムが上記テープを巻き取る速度より、上記テープリールから上記テープが巻き戻される速度の方が
常に
　上記巻き戻し時用の複数のギアは、上記ドラムから上記テープが巻き戻される速度より、上記テープリールに上記テープが巻き取られる速度の方が
常に
とする補正（以下「補正事項１」という。）を含んでいる。
（２）補正事項２
　本件補正は、段落【００２４】 および段落【００２５】に
　「巻き取り時用の複数のギアは、ドラムがテープを巻き取る速度より、テープリールからテープが巻き戻される速度の方が遅くなるようにギア比が設定され、巻き戻し時用の複数のギアは、ドラムからテープが巻き戻される速度より、テープリールにテープが巻き取られる速度の方が速くなるようにギア比が設定され、」
とあるのを、
　「巻き取り時用の複数のギアは、ドラムがテープを巻き取る速度より、テープリールからテープが巻き戻される速度の方が
常に
常に
とする補正（以下「補正事項２」という。）を含んでいる。
２　補正の適否についての判断
（１）補正事項１の適否
ア　補正の目的
　本件補正の補正事項１は、請求項１及び３に記載した発明を特定するために必要な事項である「ドラムがテープを巻き取る速度より、テープリールからテープが巻き戻される速度の方が遅くなる」ものである「巻き取り時用の複数のギア」を、「ドラムがテープを巻き取る速度より、テープリールからテープが巻き戻される速度の方が常に遅くなる」ものに限定するものである。
　また、「ドラムからテープが巻き戻される速度より、テープリールにテープが巻き取られる速度の方が速くなる」ものである「巻き戻し時用の複数のギア」を、「ドラムからテープが巻き戻される速度より、テープリールにテープが巻き取られる速度の方が常に速くなる」ものに限定するものである。
　そして、補正前の請求項１、３、及び請求項１を引用する請求項２に記載された発明と、補正後の請求項１、３、及び請求項１を引用する請求項２に記載された発明の産業上の利用分野及び解決しようとする課題が同一であるから、補正事項１は、特許法第１７条の２第５項第２号の特許請求の範囲の減縮を目的とするものに該当する。
イ　新規事項の有無
　出願当初の明細書には、以下の記載がある。（下線は当審にて付した。以下同じ。）
　「【０１４２】
　ここで、
巻き取り時駆動ギア８２と上側リール回転軸シャフトギア４８は、ドラム２１が上側左テープ２８Ｌ及び上側右テープ２８Ｒを巻き取る速度よりも、上側左テープリール２４Ｌ及び上側右テープリール２４Ｒが上側左テープ２８Ｌ及び上側右テープ２８Ｒを巻き戻す速度の方が遅くなるようにギア比が設定されている。
　【０１４３】
　また同様に、
巻き取り時駆動ギア８２と下側リール回転軸シャフト第１ギア８４は、ドラム２１が下側左テープ３０Ｌ及び下側右テープ３０Ｒを巻き取る速度よりも、下側左テープリール２６Ｌ及び下側右テープリール２６Ｒが下側左テープ３０Ｌ及び下側右テープ３０Ｒを巻き戻す速度の方が遅くなるようにギア比が設定されている。
　【０１４４】
　このように、
ドラム２１が各テープ２８Ｌ、２８Ｒ、３０Ｌ、３０Ｒを巻き取る速度よりも、各テープリール２４Ｌ、２４Ｒ、２６Ｌ、２６Ｒが各テープ２８Ｌ、２８Ｒ、３０Ｌ、３０Ｒを巻き戻す速度の方を遅くすると、ドラム２１が各テープリール２４Ｌ、２４Ｒ、２６Ｌ、２６Ｒから各テープ２８Ｌ、２８Ｒ、３０Ｌ、３０Ｒを巻き取るときに、各テープ２８Ｌ、２８Ｒ、３０Ｌ、３０Ｒに張力がかかる。
　「【０１４７】
　これにより、一時保留部８０でも、
各テープ２８Ｌ、２８Ｒ、３０Ｌ、３０Ｒに対して常に一定の張力がかかった状態で、各テープリール２４Ｌ、２４Ｒ、２６Ｌ、２６Ｒからドラム２１へ各テープ２８Ｌ、２８Ｒ、３０Ｌ、３０Ｒを巻き取ることができる
　上記【０１４４】の「ドラムが各テープを巻き取る速度よりも、各テープリールが各テープを巻き戻す速度の方を遅くすると、ドラムが各テープリールから各テープを巻き取るときに、各テープに張力がかかる。」との記載と、上記【０１４７】の「各テープに対して常に一定の張力がかかった状態で、各テープリールからドラムへ各テープを巻き取ることができる。」との記載を合わせれば、「ドラムが各テープを巻き取る速度よりも、各テープリールが各テープを巻き戻す速度の方」が「常に」「遅い」ことは明らかである。この点と、上記【０１４２】、【０１４３】の記載からすれば、「巻き取り時駆動ギアと上側リール回転軸シャフトギア」、及び「巻き取り時駆動ギア８２と下側リール回転軸シャフト第１ギア」は、それぞれ「ドラムが各テープを巻き取る速度よりも、各テープリールが各テープを巻き戻す速度の方」が「常に」「遅くなるようにギア比が設定され」ていることは自明である。
　また、「巻き取り時駆動ギアと上側リール回転軸シャフトギア」、及び「巻き取り時駆動ギアと下側リール回転軸シャフト第１ギア」は、「巻き取り時用の複数のギア」であることは自明である。
　また、出願当初明細書には、以下の記載がある。
　「【０１５２】
　ここで、
巻き戻し時駆動ギア８６と上側リール回転軸シャフトギア４８は、ドラム２１が上側左テープ２８Ｌ及び上側右テープ２８Ｒを巻き戻す速度よりも、上側左テープリール２４Ｌ及び上側右テープリール２４Ｒが上側左テープ２８Ｌ及び上側右テープ２８Ｒを巻き取る速度の方が速くなるようにギア比が設定されている。
　【０１５３】
　また同様に、
巻き戻し時駆動ギア８２と下側リール回転軸シャフト第２ギア８７は、ドラム２１が下側左テープ３０Ｌ及び下側右テープ３０Ｒを巻き戻す速度よりも、下側左テープリール２６Ｌ及び下側右テープリール２６Ｒが下側左テープ３０Ｌ及び下側右テープ３０Ｒを巻き取る速度の方が速くなるようにギア比が設定されている。
　【０１５４】
　このように、
ドラム２１が各テープ２８Ｌ、２８Ｒ、３０Ｌ、３０Ｒを巻き戻す速度よりも、各テープリール２４Ｌ、２４Ｒ、２６Ｌ、２６Ｒが各テープ２８Ｌ、２８Ｒ、３０Ｌ、３０Ｒを巻き取る速度の方を速くすると、ドラム２１から各テープリール２４Ｌ、２４Ｒ、２６Ｌ、２６Ｒへ各テープ２８Ｌ、２８Ｒ、３０Ｌ、３０Ｒが巻き戻されるときに、各テープ２８Ｌ、２８Ｒ、３０Ｌ、３０Ｒに張力がかかる。
　「【０１５７】
　これにより、一時保留部８０でも、
各テープ２８Ｌ、２８Ｒ、３０Ｌ、３０Ｒに対して常に一定の張力がかかった状態で、ドラム２１から各テープリール２４Ｌ、２４Ｒ、２６Ｌ、２６Ｒへ各テープ２８Ｌ、２８Ｒ、３０Ｌ、３０Ｒを巻き戻すことができる
　上記【０１５４】の「ドラムが各テープを巻き戻す速度よりも、各テープリールが各テープを巻き取る速度の方を速くすると、ドラムから各テープリールへ各テープが巻き戻されるときに、各テープに張力がかかる」との記載と、上記【０１５７】の「各テープに対して常に一定の張力がかかった状態で、ドラムから各テープリールへ各テープを巻き戻すことができる」との記載を合わせれば、「ドラムが各テープを巻き戻す速度よりも、各テープリールが各テープを巻き取る速度の方」が「常に」「速い」ことは明らかである。この点と、上記【０１５２】、【０１５３】の記載からすれば、「巻き戻し時駆動ギアと下側リール回転軸シャフト第２ギア」、及び「巻き戻し時駆動ギアと下側リール回転軸シャフト第２ギア」は、それぞれ「ドラムが各テープを巻き取る速度よりも、各テープリールが各テープを巻き戻す速度の方」が「常に」「速くなるようにギア比が設定され」ていることは自明である。
　また、「巻き戻し時駆動ギアと下側リール回転軸シャフト第２ギア」、「巻き戻し時駆動ギアと下側リール回転軸シャフト第２ギア」は、「巻き戻し時用の複数のギア」であることは自明である。
　以上より、「巻き取り時用の複数のギアは、ドラムがテープを巻き取る速度より、テープリールからテープが巻き戻される速度の方が
常に
常に
　よって、補正事項１は、特許法第１７条の２第３項の規定に適合する。
  
ウ　一群の発明
　本件補正前の請求項１ないし３に係る発明と、本件補正後の請求項１ないし３に係る発明とは、特許法第３７条の発明の単一性の要件を満たす一群の発明に該当する。
　よって、補正事項１は、同法第１７条の２第４項に適合する。
エ　独立特許要件
　補正事項１は、特許法第１７条の２第５項第２号の特許請求の範囲の減縮を目的とするものに該当するから、本件補正後の請求項１ないし３に係る発明（以下それぞれ「補正発明１」ないし「補正発明３」という。）が、特許法第１７条の２第６項において準用する同法第１２６条第７項の規定に適合するか（特許出願の際独立して特許を受けることができるものであるか）について、以下に検討する。
（ア）補正発明
　補正発明１ないし３は、本件補正により補正された特許請求の範囲の請求項１ないし３に記載された事項により特定されるものと認められるところ、補正発明１は以下のとおりである。
　「【請求項１】
　２本１組で媒体を挟持するテープをテープリールとドラムとの間で巻き取る又は巻き戻すことで媒体を収納又は繰り出す媒体収納繰出装置において、
　複数組のテープと、
　上記複数組のテープのそれぞれを巻き取る複数組のテープリールと、
　上記テープリールの回転軸であり、各組の一方のテープリールと他方のテープリールとで別々に設けられる２本のリール回転軸シャフトと、
　上記複数組のテープにより挟持された媒体を上記複数組のテープと共に巻き取るドラムと、
　上記テープリールごとに独立して設けられ、各テープリールと上記ドラムとの間で各テープの張力が一定となるように、各テープリールと上記リール回転軸シャフトとの間のトルク制御を行うトルク制御部と、
　を有し、
　上記ドラムの回転軸であるドラム回転軸シャフトと、上記２本のリール回転軸シャフトは、それぞれ巻き取り時用の複数のギアと、巻き戻し時用の複数のギアとにより連結され、
　上記巻き取り時用の複数のギアは、上記ドラムが上記テープを巻き取る速度より、上記テープリールから上記テープが巻き戻される速度の方が常に遅くなるようにギア比が設定され、
　上記巻き戻し時用の複数のギアは、上記ドラムから上記テープが巻き戻される速度より、上記テープリールに上記テープが巻き取られる速度の方が常に速くなるようにギア比が設定され、
　さらに、上記ドラム回転軸シャフトと上記２本のリール回転軸シャフトのそれぞれとの間に設けられ、上記ドラム回転軸シャフトの回転方向がドラムを巻き取る方向の回転方向である場合にのみ、当該ドラム回転軸シャフトの回転を当該ドラム回転軸シャフトから上記巻き取り時用の複数のギアを介して上記２本のリール回転軸シャフトへと伝達する巻き取り駆動用の回転方向制御部と、
　上記ドラム回転軸シャフトと上記２本のリール回転軸シャフトのそれぞれとの間に設けられ、上記ドラム回転軸シャフトの回転方向がドラムを巻き戻す方向の回転方向である場合にのみ、当該ドラム回転軸シャフトの回転を当該ドラム回転軸シャフトから上記巻き戻し時用の複数のギアを介して上記２本のリール回転軸シャフトへと伝達する巻き戻し時駆動用の回転方向制御部と
　を有する媒体収納繰出装置。」
（イ）刊行物
ａ　刊行物１
　原査定の拒絶の理由に引用された特表２００５−５０５０６８号公報（以下「刊行物１」という。）には、以下の記載がある。
(ａ)　「【００２９】
アキュムレータ２の詳細は図１に示される。各アキュムレータは、不透明サイドパネル２ａと、蝶番付きパネル８および固定され透き通った被覆パネル１０によって規定された透明部とによって囲まれた筐体を有している。この被覆パネル１０は、アキュムレータの周囲に延在し、基本的に蝶番付きパネル８に接している。透明パネル８および１０は、アキュムレータの内部とその作動部品とを、目視検査することを可能にしている。紙幣は、紙幣投入口４を通してアキュムレータに送られる。このアキュムレータは、駆動機構６によって駆動され、
紙幣をアキュムレータ内に引き込むか、あるいは、以前に受容された紙幣をアキュムレータから払い出す。
【００３０】
図２および図３は、アキュムレータの内部作動について図示している。紙幣１２は、このアキュムレータ内に送られ、巻回ドラム２０に巻かれる。このアキュムレータは、
紙幣１２の下側面と噛み合う二つのテープ２２と、紙幣の上側面と噛み合う二つのテープ２６とを有している。
これらのテープと紙幣とは、次いで巻回ドラム２０に巻き取られる。各テープ２２は、所定のテープ長さを保持するテープリール２４を持ち、テープ２６は、供給リール２８を有している。各テープ２２および２６は、巻回ドラム２０に確保され、巻回ドラムが紙幣を受容するよう駆動される際に巻回ドラム上に巻き取られる。
紙幣は、連続的に巻回ドラム２０上に巻き取られ、
【００３１】
図２はまた、蝶番付きパネル８がどのように解放され、外側に旋回し、ローラ６２および６３間の紙幣送り点により良く接近するかを示している。各テープ２２および２６は、ローラ６０および６４等の幾つかのガイドローラを持つことができ、テープが巻回ドラム上に巻き取られる際、あるいは、テープが
供給リール２４および２８
（ｂ）　「【００３４】
駆動歯車４５は、オーバランニングクラッチ４５ａを通して駆動軸４５ｂに連結している。図５に示されるとおり、オーバランニングクラッチ４５ａは、歯車４５が時計回り方向に回転する時に軸４５ｂに噛み合い、軸４５ｂを駆動する。歯車４７は、軸４５ｂに固定され、アキュムレータの向かい側に配置されている。歯車１５１および１５５もまた、アキュムレータの向かい側に配置されている。歯車４５が反時計回り方向に回転すると、全ての歯車は駆動され、
供給リール２４および２８
【００３５】
紙幣を受容する際は、
巻回ドラム２０は、供給リールから各テープ２２および２６を引き寄せる。この供給リールは、各リールと協働する別の摩擦クラッチ機構のために各軸上を滑ることができる。このようにテープが巻回ドラム２０上に巻かれるので、所定量の引っ張り力がテープに掛けられ、持続されている。
（ｃ）　「【００３８】
図５は、以前巻回ドラム２０上に巻かれた紙幣を払い出す方法で駆動される際のアキュムレータを示している。歯車４５は、一方向クラッチ４５ａを使用して歯車４７に連結される。歯車４７は、歯車１５１および１５５を駆動し、テープを巻く。これが、
各軸と各リールの摩擦クラッチによって容認されるリール２４および２８
紙幣が払い出される際、
テープの全てを巻き取り、このテープに明確な引っ張り力を与える
（ｄ）　「【００４７】
図１０および図１１は、
テープが遊びローラ５３を通過する
遊びローラ５３は、軸８１に堅固に連結され、
モータ４０は、停止／開始というように駆動され、紙幣が紙幣投入口に進入し光線の遮りを引き起こした時に、このモータは、基本的に始動する。モータは、アキュムレータを紙幣受容速度に素早く持って行く。」
（ｅ）　Ｆｉｇ．１０より、「軸８１」に２つの「遊びローラ５３」が設けられ、２つの「遊びローラ５３」を「紙幣１２の下側面と噛み合う２つのテープ２２」が通過していることが見て取れる。
（ｆ）　上記(ａ）の【００３０】には「テープリール２４」、「供給リール２８」と記載がある一方、【００３１】及び【００３４】には「供給リール２４および２８」とあるから、【００３０】の「テープリール２４」は、「供給リール２４」であることは自明である。また、【００３８】の「リール２４および２８」についても、「供給リール２４および２８」であることは自明である。
（ｇ）　上記（ｄ）【００４７】の「テープ」が「通過する」ものである「遊びローラ５３は軸に堅固に連結され」との記載と、上記（ｅ）より、
「紙幣１２の下側面と噛み合う２つのテープ２２」が「通過する」２つの「遊びローラ５３」は、「軸８１に堅固に連結され」されている
　そして、紙幣１２の下側面と噛み合う２つのテープ２２が通過する２つの遊びローラは、一つの軸に堅固に連結されている場合に、「巻回ドラム」の径が両端部で異なることにより２つのテープ２２の速度に差が生じても、「巻回ドラム」と「遊びローラ」の間ではその速度の差が吸収されず、２つのテープ２２の一方にたるみが生じるから、
「遊びローラ」と「巻回ドラム」の間での「紙幣１２の下側面と噛み合う２つのテープ２２」にかかる張力は、一定ではない
　上記（ａ）ないし（ｇ）より、刊行物１には、以下の発明（以下「刊行物１発明」という。）が記載されている。
　「紙幣を引き込むか、あるいは、以前に受容された紙幣を払い出すアキュムレータであって、
　紙幣１２の下側面と噛み合う二つのテープ２２と、紙幣の上側面と噛み合う二つのテープ２６とを有し、
　これらのテープと紙幣とは、次いで巻回ドラム２０に巻き取られ、各テープ２２は、所定のテープ長さを保持する供給リール２４を持ち、テープ２６は、供給リール２８を有し、各テープ２２および２６は、巻回ドラム２０に確保され、巻回ドラムが紙幣を受容するよう駆動される際に巻回ドラム上に巻き取られ、紙幣は、連続的に巻回ドラム２０上に巻き取られ、
　紙幣を受容する際は、巻回ドラム２０は、供給リールから各テープ２２および２６を引き寄せ、供給リールは、各供給リールと協働する別の摩擦クラッチ機構のために各軸上を滑ることができ、テープが巻回ドラム２０上に巻かれるので、所定量の引っ張り力がテープに掛けられ、持続され、
　各軸と各供給リールの摩擦クラッチによって容認される供給リール２４および２８は、紙幣が払い出される際、テープの全てを巻き取り、このテープに明確な引っ張り力を与え、
　紙幣１２の下側面と噛み合う２つのテープ２２が通過する２つの遊びローラ５３は、軸８１に堅固に連結されされ、
　遊びローラ５３と巻回ドラム２０の間での紙幣１２の下側面と噛み合う２つのテープ２２にかかる張力は、一定ではない、
　アキュムレータ。」
ｂ　刊行物２
　原査定の拒絶の理由に引用された特開２００９−１０７８２４号公報（以下「刊行物２」という。）には、以下の記載がある。
（ａ）　「【特許請求の範囲】
【請求項１】
テープのみを巻き取るリールと、該リールを回転させるリール軸と、前記リールを前記リール軸に取り付けるトルクリミッタと、テープと媒体とを一緒に巻き取るドラムを有し、
　
前記リールとドラム間で前記テープの巻き取りまたは巻き戻しを行うことにより前記媒体の繰出しまたは収納を行うように構成した媒体収納繰出装置において、
　前記媒体の繰出し時には、前記ドラムが前記テープを巻き戻す速度より速い速度で前記リール軸を回転させ、
　前記媒体の収納時には、前記ドラムが前記テープを巻き取る速度より遅い速度で前記リール軸を回転させて、
　前記リール軸と前記リールの回転速度差を前記トルクリミッタで吸収する
【請求項２】
請求項１記載の媒体収納繰出装置において、
　
前記ドラム及びリールを回転させる駆動源と
　
前記ドラムがテープを巻き戻す速度より速い速度で前記リール軸が回転するように前記駆動源の動力を伝達する第１の伝達手段と、
　この第１の伝達手段中に設けられ、前記ドラムを取り付けたドラム軸と前記リール軸間の巻き取り方向になる回転の伝達を阻止する第１のワンウェイクラッチと、
　前記ドラムがテープを巻き取る速度より遅い速度で前記リール軸が回転するように前記駆動源の動力を伝達する第２の伝達手段と、
　この伝達手段中に設けられ、前記ドラム軸と前記リール軸間の巻き戻し方向になる回転の伝達を阻止する第２のワンウェイクラッチを備えた
媒体収納繰出装置。
（ｂ）　「【０００４】
　前記ドラム１２０は、テープ１１０、１１５に挟まれた媒体３００をテープ１１０、１１５と一緒に巻き取るドラムであり、ドラム軸１２１に固定してある。
　また、リール１３０、１３５は、テープ１１０、１１５のみを巻き取るリールであり、両リール１３０、１３５は同じ形状である。両リール１３０、１３５は、それぞれのリール軸１３１、１３６にトルクリミッタ１３２、１３７を介して取り付けてある。」
（ｃ）　「【００１５】
  こうして、
常にドラムがテープを巻き戻す速度よりリールがテープを巻き取る速度の方が速くなるようなギヤ比を設定している。
　この媒体収納繰出装置１００の繰出動作を図３３を用いて以下に説明する。
　駆動モータ１４０は、ドラム１２０を矢印ａ１方向に回転する。このとき、ドラムギヤ１５０を介してリールギヤ１５５、１６０がリールを巻き取る方向である矢印ａ２方向に回転するため、ワンウェイクラッチ１６５、１７０がロックし、リールギヤ１５５、１６０の回転をリール軸１３１、１３６に伝達されるようになっている。
【００１６】
  そのため、リール軸１３１、１３６は、矢印ａ３方向に回転するため、ワンウェイクラッチ１７５、１８０が空転し、リール軸１３１、１３６は回転できる。
  また、このとき、前述した式１０を満たすため、
ドラム１２０がテープ１１０、１１５を巻き戻す
ール軸１３１、１３６がテープ１１０、１１５を巻き取る
テープ１１０、１１５には、トルクリミッタ１３２、１３７のトルクによって絶えずテンションがかかっている。
（ｄ）　「【００２０】
  そのため、リール１３０、１３５は、テープによって回転方向に力がかかるが、リール軸１３１、１３６は回転しないために、リール１３０、１３５とリール軸１３１、１３６の間にあるトルクリミッタ１３２、１３７が回転することにより、リール１３０、１３５が回転して
テープ１１０、１１５はリール１３０、１３５からドラム１２０に巻き取られる。
テープ１１０、１１５は、トルクリミッタ１３２、１３７のトルクによって、絶えずテンションがかかった状態になっている。
【００２１】
　こうして、媒体入出口１８５から入ってきた媒体３２０は、テープ１１０、１１５に挟まれながらドラム１２０に巻き取られることによって媒体を収納する。
　このように、
収納・繰出動作時に、テープ１１０、１１５に弛みが発生すると、テープ１１０、１１５がアイドルプーリ１９０、１９５やリール１３０、１３５から外れたり巻き取り時の媒体挟み力がなくなる問題がでるが、上記繰出し・収納動作では、テープに絶えずテンションをかけて弛まないような仕組みになっている
（ｅ）　「【００２３】
　この繰出動作でのトルクリミッタの角速度をＴＡ１、収納動作でのトルクリミッタの角速度をＴＡ２とすると、
　ＴＡ１＝（リール軸の角速度）−（リール角速度）…式１１
　ＴＡ２＝（リールの角速度）…式１２
　
トルクリミッタは、角速度が大きくなると、寿命が短くなる問題があり、また、高回転に対応したトルクリミッタは、価格が高価であることからも品質とコストを両立させようとするとトルクリミッタは低回転での使用が求められる。
（ｆ）　「【発明の効果】
【００３２】
　このようにした本発明は、
媒体の繰出し時だけでなく、媒体の収納時にも、リール軸を回転させるため、収納・繰出動作両方でみた最大角速度を大幅に下げることができてトルクリミッタを低回転で使用が可能となり、トルクリミッタの寿命を長くすることができるという効果が得られ、
（ｇ）　「【００３８】
　よって、リールギヤ４１１でドラムギヤ４１６をドラム１２０がテープを巻き取り方向、すなわち反時計回りに回転すると、ワンウェイクラッチ４２５がロックする。
　このとき、
リール軸１３１の
テープ巻き戻し速度をＶＡ３、ドラムの
テープの巻き取り速度をＶＡ４とすると、
　ＺＡ３、ＺＡ４は
常にＶＡ４＞ＶＡ３となるようにギヤ比が設定されている。
（ｈ）　「【００４１】
　こうして、リールギヤ４１１とドライブギヤ４１６は、
リールがテープを巻き戻す速度よりドラム１２０がテープを巻き取る速度の方が速くなるようなギヤ比を設定している。
　上述した構成による繰出動作を図２及び図４を用いて以下に説明する。
　駆動モータ１４０は、ドラム１２０が巻き戻す方向に回転し、ドラムギヤ１４２を介してドラム軸１２１に伝達される。
【００４２】
　このとき、ドラム軸１２１とワンウェイクラッチ４２０の関係は、図３（イ）に示す如く、ドラム軸１２１が時計回りに回るため、ワンウェイクラッチ４２０はロックしてワンウェイクラッチ４２０が破線矢印に示すように時計回りに回る。
　そのため、図４に示す如く、ドラムギヤ４０５は矢印ｃ１方向に回転し、リールギヤ４１０、４１５は矢印ｃ２方向に回転する。
【００４３】
　リールギヤ４１０、４１５は、リール軸１３１、１３６に固定されているために、リール軸１３１、１３６を巻き取り方向である矢印ｃ２方向に回転させる。
　リール軸１３１、１３６の回転速度は、ドラムギヤ４０５のギヤ歯数ＺＡ２、リールギヤ４１０、４１５の歯数をＺＡ１が式１０を満たしているため、ドラム１２０がテープを巻き戻すことにより、ドラム１２０とテープで接続されているリール１３０、１３５が回転する量より速い速度で回転している。この回転速度の差は、リール１３０、１３５とリール軸１３１、１３６の間に接続されているトルクリミッタ１３２、１３７によって吸収される。
【００４４】
　また、図５に示す如く、リール軸１３１が矢印ｃ２方向に回転することにより、リールギヤ４１１が矢印ｃ３方向に回転する。それにより、ドラムギヤ４１６が矢印ｃ４方向に回転する。
　ドラム軸１２１の角速度ＷＸ１のときのドラムギヤ４１６の角速度ＷＸ２は、ドラムギヤ４０５→リールギヤ４１０→リールギヤ４１１→ドラムギヤ４１６の歯数で決まるため、
　ＷＸ２＝（ドラムギヤ４０５の歯数／リールギヤ４１０の歯数）×（リールギヤ４１１の歯数／ドラムギヤ４１６の歯数）×ＷＸ１
　ＷＸ２＝（ＺＡ２／ＺＡ１）×（ＺＡ３／ＺＡ４）×ＷＸ１…式３１
　式１０より、
　ｒａ１／（ｒａ２×Ｔ２）＞ＺＡ１／ＺＡ２
　ＺＡ２／ＺＡ１＞（ｒａ２×Ｔ２）／ｒａ１…式３２
　式２４と式３２により式３１は、
　ＷＸ２＞［（ｒａ２×Ｔ２）／ｒａ１］×［（ｒａ１×Ｔ１）／ｒａ２］×ＷＸ１
　＝［（ｒａ２×Ｔ２×ｒａ１×Ｔ１／（ｒａ１×ｒａ２）］×ＷＸ１
　＝（Ｔ１×Ｔ２）×ＷＸ１
　式８、式９により、
　１＜Ｔ１、１＜Ｔ２のため、（Ｔ１×Ｔ２）＞１となり、
　ＷＸ２＞ＷＸ１…式３３
　そのため、図６に示す如く、ドラム軸１２１に対するワンウェイクラッチ４２０の回転は、ドラム軸１２１が矢印ｃ５に示すように時計回りにＷＸ１の角速度で回転し、ワンウェイクラッチ４２０は矢印ｃ６に示すように時計回りにＷＸ２の角速度で回転する。
【００４５】
　式３３より、ＷＸ２＞ＷＸ１のため、ドラム軸１２１に対するワンウェイクラッチ４２０の相対角速度は、図７に示す如く、ワンウェイクラッチ４２０が矢印ｃ７に示すように時計回りに回転する。
　この場合、図３（ロ）に示す如く、ワンウェイクラッチ４２０は空転し、ドラムギヤ４１６の回転は、ドラム軸１２１に伝達されない。
【００４６】
　つぎに、収納動作について図２及び図８を用いて説明する。
　駆動モータ１４０によってドラム１２０が巻き取る方向に回転し、ドラムギヤ１４２を介してドラム軸１２１に伝達される。このとき、ドラム１２０が巻き取り方向である矢印ｄ１方向に回転することにより、テープ１１０、１１５が巻き取られ、テープの他端が巻かれているリール１３０、１３５が矢印ｄ２方向に回転する。
【００４７】
　それにより、図９に示す如く、リール１３０とトルクリミッタ１３２を介して接続されているリール軸１３１が矢印Ｄ３方向に回転し、リールギヤ４１１を通してドラムギヤ４１６が矢印ｄ４方向に伝達される。
　このときのワンウェイクラッチ４２５については、ワンウェイクラッチ４２５がｄ４方向、ドラム軸１２１がｄ１方向のため、共に反時計回りに回転する。
【００４８】
　図１０に示す如く、ワンウェイクラッチ４２５の角速度ｄ５がドラム軸１２１の角速度ｄ６より遅いとき、ドラム軸１２１に対するワンウェイクラッチ４２５の相対角速度は、図１１の矢印ｄ７に示す如く、時計回りになるため図３（ハ）に示す如く、ワンウェイクラッチ４２５は空転する。
　図１２に示す如く、ワンウェイクラッチ４２５の角速度ｄ８がドラム軸１２１の角速度ｄ９より速いとき、ドラム軸１２１に対するワンウェイクラッチ４２５の相対角速度は図１３の矢印ｄ１０に示す如く、反時計回りになるため、図３（二）で示すようにワンウェイクラッチ４２５はロックしてドラム軸１２１も矢印ｄ１１で示すようにワンウェイクラッチ４２５と同じ速度で回りだす。
【００４９】
　そのため、リール１３０の回転によってリール軸１３１はつれまわし回転をするが、リール軸１３１の回転速度は、ワンウェイクラッチ４２５の角速度がドラム軸１２１の角速度と同じになる角速度までである。
　また、リール軸１３６は、リール軸１３１とドラムギヤ４０５にて１対１で伝達されているため、リール軸１３６は、リール軸１３１と同じ角速度で回転する。
【００５０】
　ドラム１２０の角速度をＷＹ１、ドラムに巻かれるテープによって回転するリール１３０、１３５の角速度をＷＹ２、リールに接続されているトルクリミッタ１３２、１３７によってつれまわし回転されるリール軸１３１、１３６の最大つれまわし回転速度をＷＹ３とすると、
　ＷＹ２とＷＹ１は、テープの両端をそれぞれ巻き取っているため、テープの速さと巻き取り半径によって角速度が決定される。テープの速度をＶＴとすると、
　ＶＴ＝ＷＹ２×ＲＡ１、ＶＴ＝ＷＹ１×ＲＡ２
　ＷＹ２×ＲＡ１＝ＷＹ１×ＲＡ２
　ＷＹ２＝（ＲＡ２／ＲＡ１）×ＷＹ１
　式６、式７より、
　ＷＹ２＝［（ｒａ２×ｋａ２）／（ｒａ１×ｋａ１）］×ＷＹ１…式４１
　式８、式９により、
　ＷＹ２＝［（ｒａ２×ｋａ２）／（ｒａ１×ｋａ１）］×ＷＹ１＞［（ｒａ２×１）／（ｒａ１×Ｔ１）］×ＷＹ１
　ＷＹ２＞［ｒａ２／（ｒａ１×Ｔ１）］×ＷＹ１…式４２
　ＷＹ３は、ドラム１２０の角速度ＷＹ１とドラムギヤ４１６、リールギヤ４１１の歯数によって決まるため、
　ＷＹ３＝（ＺＡ４／ＺＡ３）×ＷＹ１…式４３
　式２４により、ＺＡ４／ＺＡ３＜ｒａ２／（ｒａ１×Ｔ１）のため、
　ＷＹ３＜［ｒａ２／（ｒａ１×Ｔ１）］×ＷＹ１…式４４
　式４２、式４４から、
　ＷＹ３＜［ｒａ２／（ｒａ１×Ｔ１）］×ＷＹ１＜ＷＹ２…式４５
　常に、リール速度ＷＹ２の方がリール軸速度ＷＹ３より速い速度で回転するようになる。
【００５１】
　そのため、常にリール１３０、１３５の角速度よりリール軸１３１、１３６の回転速度が遅い角速度で回転しており、回転速度の差は、トルクリミッタ１３２、１３７によって吸収される。
　またこのときに、図１４に示す如く、リール軸１３１が矢印ｅ１方向に回転することにより、リールギヤ４１０が回転し、ドラムギヤ４０５が矢印ｅ２方向である反時計回りに回転する。そのため、ワンウェイクラッチ４２０については、ドラム軸１２１とワンウェイクラッチ４２０共に反時計回りに回転する。
【００５２】
　このワンウェイクラッチ４２０の空転・ロックの条件は、前述したワンウェイクラッチ４２５の条件と同じである。
　ドラムギヤ４０５の回転速度をＷＹ４とすると、
　ＷＹ４は、リール軸１３１の角速度ＷＹ３とリールギヤ４１０、ドラムギヤ４０５の歯数によって決まるため、
　ＷＹ４＝（ＺＡ１／ＺＡ２）×ＷＹ３…式４６
　式１０により、
　ＺＡ１／ＺＡ２＜ｒａ１／（ｒａ２×Ｔ２）
　ＷＹ４＜［ｒａ１／（ｒａ２×Ｔ２）］×ＷＹ３…式４７
　ＷＹ３の速度は、式４４より、
　ＷＹ３＜［ｒａ２／（ｒａ１×Ｔ１）］×ＷＹ１…式４８
　ＷＹ４＜［ｒａ１／（ｒａ２×Ｔ２）］×［ｒａ２／（ｒａ１×Ｔ１）］×ＷＹ１
　ＷＹ４＜［（ｒａ１×ｒａ２）］／（ｒａ２×Ｔ２×ｒａ１×Ｔ１）］×ＷＹ１
　ＷＹ４＜［１／（Ｔ２×Ｔ１）］×ＷＹ１…式４９
　式８、式９より、
　１＜Ｔ１、１＜Ｔ２のため、（Ｔ２×Ｔ１）＞１
　よって、ＷＹ４＜ＷＹ１…式５０
　図１５に示す如く、ドラムギヤ４０５に固定されているワンウェイクラッチ４２０の角速度ｅ３は、ドラム軸１２１の角速度ｅ４より遅いため、ドラム軸１２１に対するワンウェイクラッチ４２０の相対角速度は、図１６の矢印ｅ５に示すように時計回りになり、ワンウェイクラッチ４２０は空転する。
【００５３】
　よって、リールギヤ４１０からの伝達でドラムギヤ４０５は回転するが、ドラム軸１２１に駆動を伝達しないため、収納動作時のドラム１２０への影響はない。
　このように収納動作時もリール軸が回転しているため、収納動作でのトルクリミッタの角速度をＴＢ２とすると、
　ＴＢ２＝（リールの角速度）−（リール軸の角速度）…式５１
となり、従来技術での角速度の式１２と比較してリール軸が回転している分、角速度を遅くすることができる。」
（ｉ）　上記（ａ）の【請求項２】の「前記ドラムがテープを巻き戻す速度より速い速度で前記リール軸が回転するように前記駆動源の動力を伝達する第１の伝達手段」の記載について、上記（ｈ）の【００４１】ないし【００４５】の「操出動作」の説明についての記載から、
「第１の伝達手段」は複数のギヤからなる
　また、【請求項２】の「前記ドラムがテープを巻き取る速度より遅い速度で前記リール軸が回転するように前記駆動源の動力を伝達する第２の伝達手段」についても、上記（ｈ）の【００４６】ないし【００５３】の「収納動作」の説明についての記載から、
「第２の伝達手段」は複数のギヤからなる
（ｊ）　上記（ｂ）の記載から、
「テープ」は「２本１組で媒体を挟む」ものであり、「リール」は「２本のテープをそれぞれ巻き取る２つのリール」であり、「リール軸」は「一方のリールと他方のリールとで別々に設けられる２本のリール軸」であり、「ドラム」は「２本のテープに挟まれた媒体をテープと一緒に巻き取るドラム」であること
（ｋ）　上記（ｃ）には、「ドラム１２０がテープ１１０、１１５を巻き戻し、リール軸１３１、１３６がテープ１１０、１１５を巻き取るときに、テープ１１０、１１５には、トルクリミッタ１３２、１３７のトルクによって絶えずテンションがかかっている」ことが記載されており、上記（ｄ）には、「テープ１１０、１１５はリール１３０、１３５からドラム１２０に巻き取られるときにテープ１１０、１１５は、トルクリミッタ１３２、１３７のトルクによって、絶えずテンションがかかった状態になっている」ことが記載されている。これらの記載から、
ドラムが２本のテープを巻き戻すとき、及び２本のテープが２つのリールからドラムに巻き取られるとき、２本のテープは、２つのトルクリミッタのトルクによって、絶えずテンションがかかった状態になっている
　上記（ａ）ないし（ｋ）から、刊行物２には以下の発明（以下「刊行物２発明」という。）が記載されている。
　「テープのみを巻き取るリールと、該リールを回転させるリール軸と、前記リールを前記リール軸に取り付けるトルクリミッタと、テープと媒体とを一緒に巻き取るドラムを有し、
　前記リールとドラム間で前記テープの巻き取りまたは巻き戻しを行うことにより前記媒体の繰出しまたは収納を行うように構成した媒体収納繰出装置において、
　前記リール軸と前記リールの回転速度差を前記トルクリミッタで吸収し、
　前記ドラム及びリールを回転させる駆動源と、
　前記ドラムがテープを巻き戻す速度より速い速度で前記リール軸が回転するように前記駆動源の動力を伝達する、複数のギヤからなる第１の伝達手段と、
  この第１の伝達手段中に設けられ、前記ドラムを取り付けたドラム軸と前記リール軸間の巻き取り方向になる回転の伝達を阻止する第１のワンウェイクラッチと、
  前記ドラムがテープを巻き取る速度より遅い速度で前記リール軸が回転するように前記駆動源の動力を伝達する、複数のギヤからなる第２の伝達手段と、
　この伝達手段中に設けられ、前記ドラム軸と前記リール軸間の巻き戻し方向になる回転の伝達を阻止する第２のワンウェイクラッチを備え、
　常にドラムがテープを巻き戻す速度よりリールがテープを巻き取る速度の方が速くなるようなギヤ比を設定され、
　リール軸１３１のテープ巻き戻し速度をＶＡ３、ドラムのテープの巻き取り速度をＶＡ４とすると、常にＶＡ４＞ＶＡ３となるようにギヤ比が設定され、リールがテープを巻き戻す速度よりドラム１２０がテープを巻き取る速度の方が速くなるようなギヤ比を設定され、
　トルクリミッタは、角速度が大きくなると、寿命が短くなる問題があり、また、高回転に対応したトルクリミッタは、価格が高価であることからも品質とコストを両立させようとするとトルクリミッタは低回転での使用が求められ、
　媒体の繰出し時だけでなく、媒体の収納時にも、リール軸を回転させるため、収納・繰出動作両方でみた最大角速度を大幅に下げることができてトルクリミッタを低回転で使用が可能となり、トルクリミッタの寿命を長くすることができるという効果が得られ、
　上記テープは２本１組で媒体を挟むものであり、上記リールは２本のテープをそれぞれ巻き取る２つのリールであり、リール軸は一方のリールと他方のリールとで別々に設けられる２本のリール軸であり、ドラムは２本のテープに挟まれた媒体をテープと一緒に巻き取るドラムであり、
　ドラムが２本のテープを巻き戻すとき、及び２本のテープが２つのリールからドラムに巻き取られるとき、２本のテープは、２つのトルクリミッタのトルクによって、絶えずテンションがかかった状態になっており、
　収納・繰出動作時に、テープ１１０、１１５に弛みが発生すると、テープ１１０、１１５がアイドルプーリ１９０、１９５やリール１３０、１３５から外れたり巻き取り時の媒体挟み力がなくなる問題がでるが、上記繰出し・収納動作では、テープに絶えずテンションをかけて弛まないような仕組みになっている、
　媒体収納繰出装置。」
（ウ）対比
　まず、補正発明１について検討すると、補正発明１の課題は、「ドラム２０１の巻き取り径Ｌがドラム２０１の両端部で異なるために、ドラム１回転当たりのテープの巻き取り量及び巻き戻し量がそれぞれの組で異なることになり、結果として
上下１対のテープの組間
上下１対のテープの組間
各組
それぞれのテープリールとドラムとの間でのテープの張力を一定に保つ
　補正発明１と刊行物１発明とを対比すると、刊行物１発明の「紙幣」は、補正発明１の「媒体」に相当する。
　刊行物１発明の「紙幣１２の下側面と噛み合う二つのテープ２２と、紙幣の上側面と噛み合う二つのテープ２６」は、補正発明１の「２本１組で媒体を挟持するテープ」及び「複数組のテープ」に相当する。
　刊行物１発明の「供給リール２４」、「供給リール２８」は、補正発明１の「テープリール」、「複数組のテープのそれぞれを巻き取る複数組のテープリール」に相当する。
　刊行物１発明の「巻回ドラム」は、補正発明１の「ドラム」に相当する。
　刊行物１発明の「これらのテープと紙幣とは、次いで巻回ドラム２０に巻き取られ、各テープ２２は、所定のテープ長さを保持する供給リール２４を持ち、テープ２６は、供給リール２８を有し、各テープ２２および２６は、巻回ドラム２０に確保され、巻回ドラムが紙幣を受容するよう駆動される際に巻回ドラム上に巻き取られ、紙幣は、連続的に巻回ドラム２０上に巻き取られ」ることは、補正発明１の「２本１組で媒体を挟持するテープをテープリールとドラムとの間で巻き取る」ことに相当する。
　刊行物１発明の「各軸と各供給リールの摩擦クラッチによって容認される供給リール２４および２８は、紙幣が払い出される際、テープの全てを巻き取」ることは、補正発明１の「２本１組で媒体を挟持するテープをテープリールとドラムとの間」で「巻き戻す」ことに相当する。
　刊行物１発明の「紙幣を引き込む」、及び「紙幣を受容する」ことは、補正発明１の「媒体を収容」することに相当する。
　刊行物１発明の「以前に受容された紙幣を払い出す」、及び「紙幣が払い出される」ことは、補正発明１の「媒体」を「繰り出す」ことに相当する。
　刊行物１発明の「アキュムレータ」は、「媒体収納操出」を行うから、補正発明１の「媒体収納操出装置」に相当する。
　刊行物１発明において、「紙幣を受容する際」は「供給リール」が「各軸上を滑る」とともに、「紙幣が払い出される際」は「各軸」と「供給リール２４および２８」が「テープ」を「巻き取」るものであるから、「各軸」は「供給リール２４および２８」の回転軸であり、「供給リール２４および２８」とで別々に設けられる２本の回転軸であることは自明である。また、その形状が「シャフト」であることも自明である。したがって、刊行物１発明の「各軸」は、補正発明１の「テープリールの回転軸であり、各組の一方のテープリールと他方のテープリールとで別々に設けられる２本のリール回転軸シャフト」に相当する。
　刊行物１発明の「巻回ドラム」は、「紙幣１２の下側面と噛み合う二つのテープ２２と、紙幣の上側面と噛み合う二つのテープ２６」と「紙幣」を「巻き取」るから、補正発明１の「複数組のテープにより挟持された媒体を上記複数組のテープと共に巻き取るドラム」に相当する。
　刊行物１発明において、「摩擦クラッチ機構」は、「各供給リールと協働する」ものであるから、「各供給リール」ごとに独立して設けられているといえる。また、「摩擦クラッチ機構」は、「紙幣を受容する際」には「供給リールは各供給リールと協働する別の摩擦クラッチ機構のために各軸上を滑る」とともに、「紙幣が払い出される際」には、「各軸と各供給リールの摩擦クラッチによって容認される供給リール２４および２８」が、「テープの全てを巻き取り、このテープに明確な引っ張り力を与える」ものであるから、「各供給リール」と「各軸」の間にあって、「紙幣を受容する際」と「紙幣が払い出される際」とでトルク制御を行っているといえる。したがって、刊行物１発明の「摩擦クラッチ」は、補正発明１の「テープリールごとに独立して設けられ」、「各テープリールと上記リール回転軸シャフトとの間のトルク制御を行うトルク制御部」に相当する。
　以上より、補正発明１と刊行物１発明とは、
　「２本１組で媒体を挟持するテープをテープリールとドラムとの間で巻き取る又は巻き戻すことで媒体を収納又は繰り出す媒体収納繰出装置において、
　複数組のテープと、
　上記複数組のテープのそれぞれを巻き取る複数組のテープリールと、
　上記テープリールの回転軸であり、各組の一方のテープリールと他方のテープリールとで別々に設けられる２本のリール回転軸シャフトと、
　上記複数組のテープにより挟持された媒体を上記複数組のテープと共に巻き取るドラムと、
　上記テープリールごとに独立して設けられ、各テープリールと上記リール回転軸シャフトとの間のトルク制御を行うトルク制御部と、
　を有する媒体収納繰出装置。」
である点で一致し、以下の点で相違している。
［相違点１］
　補正発明１では、「複数組のテープリール」の「各テープリールと上記ドラムとの間で」「複数組のテープ」の「各テープの張力が一定となる」のに対し、刊行物１発明では、「遊びローラと巻回ドラムの間での紙幣の下側面と噛み合う２つのテープにかかる張力は一定ではない」点。
［相違点２］
　補正発明１は、「ドラムの回転軸であるドラム回転軸シャフトと、２本のリール回転軸シャフトは、それぞれ巻き取り時用の複数のギアと、巻き戻し時用の複数のギアとにより連結され、
　上記巻き取り時用の複数のギアは、上記ドラムが上記テープを巻き取る速度より、上記テープリールから上記テープが巻き戻される速度の方が常に遅くなるようにギア比が設定され、
　上記巻き戻し時用の複数のギアは、上記ドラムから上記テープが巻き戻される速度より、上記テープリールに上記テープが巻き取られる速度の方が常に速くなるようにギア比が設定され、
　さらに、上記ドラム回転軸シャフトと上記２本のリール回転軸シャフトのそれぞれとの間に設けられ、上記ドラム回転軸シャフトの回転方向がドラムを巻き取る方向の回転方向である場合にのみ、当該ドラム回転軸シャフトの回転を当該ドラム回転軸シャフトから上記巻き取り時用の複数のギアを介して上記２本のリール回転軸シャフトへと伝達する巻き取り駆動用の回転方向制御部と、
　上記ドラム回転軸シャフトと上記２本のリール回転軸シャフトのそれぞれとの間に設けられ、上記ドラム回転軸シャフトの回転方向がドラムを巻き戻す方向の回転方向である場合にのみ、当該ドラム回転軸シャフトの回転を当該ドラム回転軸シャフトから上記巻き戻し時用の複数のギアを介して上記２本のリール回転軸シャフトへと伝達する巻き戻し時駆動用の回転方向制御部」を備えるのに対し、刊行物１発明はこれを備えていない点。
（エ）判断
　相違点１について検討する。
　刊行物２発明は、「複数組のテープ」、「複数組のテープリール」の構成を備えていないから、刊行物２発明は、上記相違点１に係る補正発明１の発明特定事項である、「複数組のテープリール」の「各テープリールと上記ドラムとの間」で「複数組のテープ」の「各テープの張力が一定となる」ことについても備えていない。
　また、相違点１に係る発明特定事項について、設計的事項であるとする根拠はない。
　そして、補正発明１は、これにより、「（ウ）対比」に記載した課題を解決し、効果を奏するものであるが、当該効果は、刊行物１発明及び刊行物２発明から予想できない顕著なものである。
　したがって、当業者が、刊行物２発明に基づいて、相違点１に係る発明特定事項を容易に想到し得たとはいえない。
　よって、相違点２について検討するまでもなく、補正発明１は、当業者が刊行物１発明および刊行物２発明に基づいて容易に発明をすることができたとはいえない。
　また、補正発明２は、補正発明１を引用してさらに限定したものであるから、補正発明１同様に、当業者が刊行物１発明および刊行物２発明に基づいて容易に発明をすることができたとはいえない。
　補正発明３は、補正発明１が備える上記相違点１及び相違点２に係る発明特定事項と同じ発明特定事項を備えているから、補正発明１同様に、当業者が刊行物１発明および刊行物２発明に基づいて容易に発明をすることができたとはいえない。
（オ）独立特許要件についてのむすび
　以上のとおり、補正発明１ないし３は、当業者が刊行物１発明および刊行物２発明に基づいて容易に発明をすることができたとはいえない。
　また、その他に補正発明１ないし３を拒絶すべき理由を発見しない。
　よって、補正事項１は、特許法第１７条の２第６項において準用する同法第１２６条第７項の規定に適合する。
オ　補正事項１の適否についてのむすび
　以上のとおり、本件補正の補正事項１は、特許法第１７条の２第３項ないし第６項の規定に適合する。
（２）補正事項２の適否
　本件補正の補正事項２は、上記（１）の「イ　新規事項の有無」のとおり、特許法第１７条の２第３項の規定に適合する。
（３）補正の適否のむすび
　以上より、本件補正は、特許法第１７条の２第３項ないし第６項の規定に適合する。
第３　原査定の理由について
　本件補正は上記のとおり、特許法第１７条の２第３項ないし第６項の規定に適合するから、本願請求項１ないし３に係る発明は、本件補正により補正された特許請求の範囲の請求項１ないし３に記載された事項により特定されるとおりのものである。
　そして、補正発明１ないし３は、上記第２の２の（１）の「エ　独立特許要件」のとおり、当業者が刊行物１発明及び刊行物２発明に基づいて容易に発明をすることができたものではない。
　したがって、本願については、原査定の拒絶の理由を検討しても、その理由によって拒絶すべきものとすることはできない。
　また、他に本願を拒絶すべき理由を発見しない。
　よって、結論のとおり審決する。